(57)【要約】【課題】データを送受する外部機器の指定操作を不要にする携帯型通信端末を得る。【解決手段】携帯電話機１０ＢのＣＰＵ１０１は、赤外光送受信部１２、１３、１４を介して通信要求を示す信号光と、携帯電話機１０Ｂの識別情報を示す信号光とを発光する。携帯電話機１０ＡのＣＰＵ１０１は、赤外光送受信部１２で信号光を受光すると、携帯電話機１０Ａの赤外光送受信部１２側に位置する携帯電話機１０Ｂから通信要求されたと判断する。携帯電話機１０ＡのＣＰＵ１０１は、赤外光送受信部１２、１３、１４を介して通信許可を示す信号光と、携帯電話機１０Ａの識別情報を示す信号光とを発光する。携帯電話機１０ＢのＣＰＵ１０１は、赤外光送受信部１３で信号光を受光すると、携帯電話機１０Ｂの赤外光送受信部１３側に位置する携帯電話機１０Ａから通信許可されたと判断する。これにより、携帯電話機１０Ａおよび１０Ｂ間でデータ送受を行う状態が成立する。【選択図】図１
2004159227.tif 000002
【特許請求の範囲】
【請求項１】
通信手段と、
前記通信手段で通信できる外部機器を検出する外部機器検出手段と、
前記外部機器検出手段によって検出された外部機器との間でデータ送受を行うことを前記通信手段に要求、あるいは許可または不許可する制御手段と、
前記制御手段によって要求、あるいは許可された前記外部機器が位置する方向を当該外部機器を表す表示とともに表示する表示手段とを備えることを特徴とする携帯型通信端末。
【請求項２】
請求項１に記載の携帯型通信端末において、
前記制御手段に前記許可および前記不許可を指示するための操作部材をさらに備え、
前記外部機器検出手段は、前記外部機器から送られる通信要求を示す信号を前記通信手段を介して受けることによって前記外部機器を検出し、
前記通信手段は、前記外部機器検出後の前記操作部材の操作に応じて通信許可または通信不許可を示す信号を前記外部機器へ送信することを特徴とする携帯型通信端末。
【請求項３】
請求項２に記載の携帯型通信端末において、
前記外部機器検出手段は、前記外部機器から送られる識別情報を示す信号を前記通信手段を介して受けることによって前記外部機器を識別することを特徴とする携帯型通信端末。
【請求項４】
請求項１〜３のいずれかに記載の携帯型通信端末において、
前記通信手段は、前記制御手段によって許可された場合に前記外部機器へデータを送信し、前記制御手段によって不許可された場合に、（１）前記外部機器へ送信したデータを前記外部機器に消去させる、（２）前記外部機器へ送信したデータを前記外部機器に読み込み禁止、あるいは再生禁止させるのいずれかを指示する信号を前記外部機器へ送信することを特徴とする携帯型通信端末。
【請求項５】
請求項１に記載の携帯型通信端末において、
前記制御手段に前記許可を要求するための操作部材をさらに備え、
前記通信手段は、前記操作部材の操作に応じて当該携帯型通信端末の通信要求を示す信号を送信し、
前記外部機器検出手段は、前記通信要求に応じて前記外部機器から送られる通信許可または通信不許可を示す信号を前記通信手段を介して受けることによって前記外部機器を検出し、
前記通信不許可を示す信号を受けた場合に、（１）前記外部機器から受信したデータを消去する、（２）前記外部機器から受信したデータを読み込み禁止、あるいは再生禁止にするのいずれか一方を行うデータ制御手段をさらに備えることを特徴とする携帯型通信端末。
【請求項６】
請求項５に記載の携帯型通信端末において、
前記通信手段は、当該携帯型通信端末の識別情報を示す信号を前記外部機器へさらに送信することを特徴とする携帯型通信端末。
【請求項７】
請求項１〜６のいずれかに記載の携帯型通信端末において、
前記通信手段は、所定の方向に指向性を有し、前記指向性に合致する方向に位置する外部機器との間で通信を行い、
前記外部機器検出手段は、前記指向性に合致する方向に前記外部機器が位置すると判断することを特徴とする携帯型通信端末。
【請求項８】
請求項７に記載の携帯型通信端末において、
前記外部機器検出手段は、第１の方向の第１の外部機器との間で通信する第１の通信手段と、前記第１の方向と異なる第２の方向の第２の外部機器との間で通信する第２の通信手段とを備え、（１）前記第１の外部機器から送られる識別情報を前記第１の通信手段を介して受けることにより、前記第１の方向に前記第１の外部機器を検出し、（２）前記第２の外部機器から送られる識別情報を前記第２の通信手段を介して受けることにより、前記第２の方向に前記第２の外部機器を検出することを特徴とする携帯型通信端末。
【発明の詳細な説明】
【０００１】
【発明の属する技術分野】
本発明は、携帯型通信端末に関する。
【０００２】
【従来の技術】
画像などのデータファイルを送受する携帯型通信端末が知られている。送信元端末に記憶されているデータファイルは、送信先の端末の電話番号もしくはメールアドレスを送信元の端末側にセットした上で、送信元端末からデータファイルの送信操作を行うことにより、送信元端末から送信先端末へ送信される。本発明は、このような公知・公用の技術をもとに開発したものであるため、記載すべき先行技術情報はない。
【０００３】
【発明が解決しようとする課題】
送信元の端末に送信先の端末の電話番号やメールアドレスをセットするには、操作ボタンを操作して新たに入力するか、メモリに記憶済みの場合でも操作ボタンを操作してメモリから電話番号やメールアドレスを読み出す操作が必要となる。このようなデータ送受信相手の指定操作は、携帯型通信端末でデータファイルを送受信するたびに行うと煩わしい。
【０００４】
本発明は、データを送受する外部機器の指定操作を不要にする携帯型通信端末を提供するものである。
【０００５】
【課題を解決するための手段】
本発明による携帯型通信端末は、通信手段と、通信手段で通信できる外部機器を検出する外部機器検出手段と、外部機器検出手段によって検出された外部機器との間でデータ送受を行うことを通信手段に要求、あるいは許可または不許可する制御手段と、制御手段によって要求、あるいは許可された外部機器が位置する方向を当該外部機器を表す表示とともに表示する表示手段とを備えることを特徴とする。
携帯型通信端末はさらに、制御手段に許可および不許可を指示するための操作部材を備えてもよい。この場合の外部機器検出手段は、外部機器から送られる通信要求を示す信号を通信手段を介して受けることによって外部機器を検出し、通信手段は、外部機器検出後の操作部材の操作に応じて通信許可または通信不許可を示す信号を外部機器へ送信することもできる。また、外部機器検出手段は、外部機器から送られる識別情報を示す信号を通信手段を介して受けることによって外部機器を識別することもできる。
通信手段は、制御手段によって許可された場合に外部機器へデータを送信し、制御手段によって不許可された場合に、（１）外部機器へ送信したデータを外部機器に消去させる、（２）外部機器へ送信したデータを外部機器に読み込み禁止、あるいは再生禁止させるのいずれかを指示する信号を外部機器へ送信することもできる。
携帯型通信端末はさらに、制御手段に許可を要求するための操作部材を備えてもよい。この場合の通信手段は、操作部材の操作に応じて当該携帯型通信端末の通信要求を示す信号を送信し、外部機器検出手段は、通信要求に応じて外部機器から送られる通信許可または通信不許可を示す信号を通信手段を介して受けることによって外部機器を検出する。通信不許可を示す信号を受けた場合に、（１）外部機器から受信したデータを消去する、（２）外部機器から受信したデータを読み込み禁止、あるいは再生禁止にするのいずれか一方を行うデータ制御手段をさらに備えることもできる。通信手段は、当該携帯型通信端末の識別情報を示す信号を外部機器へさらに送信することもできる。
上記通信手段は、所定の方向に指向性を有し、指向性に合致する方向に位置する外部機器との間で通信を行うとよい。この場合の外部機器検出手段は、指向性に合致する方向に外部機器が位置すると判断することができる。
上記外部機器検出手段は、第１の方向の第１の外部機器との間で通信する第１の通信手段と、第１の方向と異なる第２の方向の第２の外部機器との間で通信する第２の通信手段とによって構成してもよい。この場合には、（１）第１の外部機器から送られる識別情報を第１の通信手段を介して受けることにより、第１の方向に第１の外部機器を検出し、（２）第２の外部機器から送られる識別情報を第２の通信手段を介して受けることにより、第２の方向に第２の外部機器を検出する。
【０００６】
【発明の実施の形態】
以下、図面を参照して本発明の実施の形態を説明する。
図１は、本発明の一実施の形態による携帯型通信端末を構成する携帯電話機を説明する図である。図１において、携帯電話機１０Ａ、１０Ｂは同一機種であり、両者はともにＬＣＤ表示器１１と、赤外光送受信部１２〜１４と、操作部材１５とを有する。携帯電話機１０Ａ、１０Ｂは、それぞれ無線電話通信を行う他に、携帯電話機１０Ａ、１０Ｂ間でデータ送受を行うように構成されている。
【０００７】
携帯電話機１０Ａ（１０Ｂ）の各スイッチを総称して操作部材１５とする。操作部材１５は、携帯電話機１０Ａ（１０Ｂ）の電源スイッチと、ダイヤルキースイッチと、後述する通信要求スイッチと、後述する通信許可スイッチと、後述する許可解除スイッチとを含む。電源スイッチは、携帯電話機１０Ａ（１０Ｂ）の電源オン／オフ操作を行うスイッチである。ダイヤルキースイッチは、電話発呼時に電話番号を入力したり、携帯電話機１０Ａ（１０Ｂ）に情報を入力したりする場合に操作するスイッチである。通信要求スイッチ、通信許可スイッチおよび許可解除スイッチについては後述する。
【０００８】
ＬＣＤ表示器１１は、携帯電話機１０Ａ（１０Ｂ）に記憶されている情報や、操作部材１５の操作ガイド、携帯電話機１０Ａ（１０Ｂ）の動作状態を示す情報などを表示する。また、ＬＣＤ表示器１１は、カメラ付き携帯型通信端末（不図示）などから送信された画像データによる画像も表示するように構成されている。
【０００９】
図２は、携帯電話機１０Ａ（１０Ｂ）の概要を示すブロック図である。図２において、携帯電話機１０Ａ（１０Ｂ）は、ＣＰＵ１０１と、メモリ１０２と、音声入出力回路１０３と、通信回路１０４と、表示回路１０５と、ＬＣＤ表示器１１と、赤外光送受信部１２、１３、１４と、操作部材１５とを有する。ＬＣＤ表示器１１、赤外光送受信部１２、１３、１４、および操作部材１５は、図１に示されているように、筐体外部から見える位置に配設されている。
【００１０】
メモリ１０２は、ＣＰＵ１０１が実行するプログラムを格納する他に、ＣＰＵ１０１の命令によってデータを一時格納したり、ＣＰＵ１０１がプログラムを実行する際の作業領域として使用される。音声入出力回路１０３は、不図示のマイクから入力される音声信号を電気信号に変換したり、音声用の電気信号を不図示のスピーカから再生したりする。表示回路１０５は、ＣＰＵ１０１の命令によって上記ＬＣＤ表示器１１に表示するための表示データを生成する。
【００１１】
操作部材１５を構成する電源スイッチがオン操作されると、ＣＰＵ１０１は携帯電話機１０Ａ（１０Ｂ）の所定のオン動作を行って制御プログラムを起動させる。ＣＰＵ１０１は、携帯電話機１０Ａおよび１０Ｂ間でデータ送受を行うとき、通信回路１０４、赤外光送受信部１２、１３ならびに１４を用いて携帯電話機１０Ａおよび１０Ｂ間で通信を行う。通信回路１０４は、ＣＰＵ１０１の指令により、赤外光送受信部１２、１３、１４を駆動制御して信号光（変調光）を発するとともに、赤外光送受信部１２、１３、１４で受光された信号光を復調する。赤外光送受信部１２、１３、１４を介して赤外線で送受信を行う場合は、アンテナ１０６を介する電波の送受信が省略される。
【００１２】
一方、ＣＰＵ１０１は、携帯電話機１０Ａ（１０Ｂ）を電話機として動作させるとき、通信回路１０４を介して電話機用基地局（不図示）との間で所定のデータ通信を行う。通信回路１０４は、ＣＰＵ１０１の指令により、アンテナ１０６を介して電話機用基地局へ信号（変調信号）を送信するとともに、アンテナ１０６を介して受信した信号を復調する。アンテナ１０６を介して電波で送受信を行う場合は、赤外光送受信部１２、１３、１４による赤外光の送受信が省略される。
【００１３】
本実施の形態では、携帯電話機１０Ａおよび１０Ｂ間でデータ送受するときの動作に特徴があるので、主として携帯電話機１０Ａおよび１０Ｂ間のデータ送受動作を説明し、電話機としての動作説明を省略する。
【００１４】
携帯電話機１０Ａを携帯する使用者Ａと、携帯電話機１０Ｂを携帯する使用者Ｂとが隣り合わせに座っている状態を想定する。使用者Ａは、携帯電話機１０ＡのＬＣＤ表示器１１にユニークな画像を表示させている。使用者Ｂは、使用者Ａの携帯電話機１０ＡのＬＣＤ表示器１１に表示されている画像を、自分の携帯電話機１０ＢのＬＣＤ表示器１１にも表示させたいと考えている。
【００１５】
使用者Ａおよび使用者Ｂが隣り合わせに座っているので、使用者Ａ、使用者Ｂがともに携帯電話機１０Ａ、１０Ｂを手に持つと、携帯電話機１０Ａおよび１０Ｂの位置関係は図１のようになる。すなわち、携帯電話機１０Ａの赤外光送受信部１２と携帯電話機１０Ｂの赤外光送受信部１３とが正対する。
【００１６】
使用者Ｂは、携帯電話機１０Ｂの操作部材１５を構成する通信要求スイッチを操作する。携帯電話機１０ＢのＣＰＵ１０１は、操作部材１５から通信要求操作信号が入力されると通信回路１０４に指令を出力し、赤外光送受信部１２、１３、１４を介して通信要求を示す信号光と、携帯電話機１０Ｂの識別情報を示す信号光とを発光させる。識別情報は、たとえば、電話番号である。
【００１７】
図１に示すように、赤外光送受信部１２、１３、１４は、それぞれ携帯電話機１０Ｂ（１０Ａ）の右側面、左側面、正面に配設されている。赤外光送受信部１２、１３、１４は、それぞれ赤外光発光素子と赤外光受光素子とを備えるモジュールによって構成され、各モジュールと正対する向きに単一指向性を有する。このため、赤外光送受信部１２は、携帯電話機１０Ｂ（１０Ａ）の右側面の方向に赤外光を発するとともに、右側面の方向から入射される赤外光を受光する。赤外光送受信部１３は、携帯電話機１０Ｂ（１０Ａ）の左側面の方向に赤外光を発するとともに、左側面の方向から入射される赤外光を受光する。赤外光送受信部１４は、携帯電話機１０Ｂ（１０Ａ）の正面の方向に赤外光を発するとともに、正面の方向から入射される赤外光を受光する。各赤外光送受信部は、各赤外光送受信部に対して、たとえば、５ｍ以内で送受信可能に発光レベルおよび受光感度が調整されている。
【００１８】
携帯電話機１０Ｂの赤外光送受信部１２、１３、１４から発光された信号光のうち、赤外光送受信部１３から発光された信号光が携帯電話機１０Ａの赤外光送受信部１２で受光される。携帯電話機１０Ａの赤外光送受信部１２は、受光した信号光を復調する。復調後の通信要求を示す信号、および識別情報を示す信号は、通信回路１０４を介してＣＰＵ１０１へ入力される。携帯電話機１０ＡのＣＰＵ１０１は、通信要求を示す信号および識別情報を示す信号が赤外光送受信部１２を介して受信されたので、携帯電話機１０Ａの右側方に位置する携帯電話機１０Ｂから通信要求されたと判断する。携帯電話機１０ＡのＣＰＵ１０１は、音声入出力回路１０３に指令を出力し、不図示のスピーカから通信要求を知らせる音声を再生させる。これにより、使用者Ａに通信要求を受けたことが報知される。音声以外に振動やＬＣＤ表示器１１への表示（たとえば、点滅表示）によって知らせてもよい。
【００１９】
使用者Ａは、使用者Ｂによる通信要求を受けて通信を許可する場合に、携帯電話機１０Ａの操作部材１５を構成する通信許可スイッチを操作する。携帯電話機１０ＡのＣＰＵ１０１は、操作部材１５から通信許可操作信号が入力されると通信回路１０４に指令を出力し、赤外光送受信部１２、１３、１４を介して通信許可を示す信号光と、携帯電話機１０Ａの識別情報を示す信号光とを発光させる。識別情報は、たとえば、電話番号である。
【００２０】
携帯電話機１０Ａの赤外光送受信部１２、１３、１４から発光された信号光のうち、赤外光送受信部１２から発光された信号光が携帯電話機１０Ｂの赤外光送受信部１３で受光される。携帯電話機１０Ｂの赤外光送受信部１３は、受光した信号光を復調する。復調後の通信許可を示す信号、および識別情報を示す信号は、通信回路１０４を介してＣＰＵ１０１へ入力される。携帯電話機１０ＢのＣＰＵ１０１は、通信許可を示す信号および識別情報を示す信号が赤外光送受信部１３を介して受信されたので、携帯電話機１０Ｂの左側方に位置する携帯電話機１０Ａから通信許可されたと判断する。携帯電話機１０ＢのＣＰＵ１０１は、通信許可されたと判断すると表示回路１０５に指令を出力し、ＬＣＤ表示器１１の表示領域の左側方に携帯電話機１０Ａを示す「Ａ」を表示させる（図１の１７）。
【００２１】
一方、携帯電話機１０ＡのＣＰＵ１０１は、上記通信許可および識別情報を示す信号の送信指令を通信回路１０４へ出力すると、さらに表示回路１０５に指令を出力し、ＬＣＤ表示器１１の表示領域の右側方に携帯電話機１０Ｂを示す「Ｂ」を表示させる（図１の１６）。
【００２２】
以上の手順により、携帯電話機１０Ａおよび１０Ｂ間でデータ送受を行う準備が整う。データ送受は以下の方法で行う。使用者Ａは、ＬＣＤ表示器１１の表示領域に表示１６「Ｂ」が表示されている状態で携帯電話機１０Ａの操作部材１５を操作し、ＬＣＤ表示器１１に表示されている画像データを示すアイコン（不図示）を選択する操作を行う。携帯電話機１０ＡのＣＰＵ１０１は、選択されたアイコンに対応する画像データをメモリ１０２から読み出し、読み出した画像データを通信回路１０４へ送るとともに、当該画像データを携帯電話機１０Ｂへ送信するように通信回路１０４へ指令を送る。これにより、画像データが携帯電話機１０Ａの赤外光送受信部１２を介して携帯電話機１０Ｂの赤外光送受信部１３へ送信される。
【００２３】
携帯電話機１０Ａの赤外光送受信部１２から送信された画像データは、携帯電話機１０Ｂの赤外光送受信部１３で受光される。携帯電話機１０Ｂの赤外光送受信部１３で復調された画像データは、携帯電話機１０Ｂの通信回路１０４を介してメモリ１０２の所定領域に格納される。メモリ１０２の所定領域は、携帯電話機１０Ａから通信許可されている状態でのみ読み出しが可能な領域である。このようなメモリの読み込み制限は、画像データを受信した側の携帯電話機（この場合は１０Ｂ）のＣＰＵ１０１が行う。
【００２４】
携帯電話機１０ＢのＣＰＵ１０１は、メモリ１０２の上記所定領域から画像データを読み出し、読み出した画像データを表示回路１０５へ送るとともに、当該画像データによる画像を表示するように表示回路１０５へ指令を送る。これにより、使用者Ｂは、携帯電話機１０ＢのＬＣＤ表示器１１で、使用者Ａの携帯電話機１０Ａから送信された画像データによる画像を閲覧できる。
【００２５】
以上の説明では、画像データを送受する例を説明したが、画像データの代わりに音声データや、電話番号データ、アドレスデータなどを送受してもよい。
【００２６】
上述した携帯電話機１０Ａおよび１０Ｂ間でデータ送受を行う状態は、使用者Ａおよび使用者Ｂのいずれかがデータ送受解除の操作を行うと解除される。携帯電話機１０Ａもしくは１０Ｂにおいて、操作部材１５を構成する許可解除スイッチが操作されると、当該携帯電話機のＣＰＵ１０１は通信回路１０４に指令を出力し、赤外光送受信部１２、１３、１４を介して許可解除を示す信号光と、当該携帯電話機の識別情報を示す信号光とを発光させる。許可解除は、通信不許可に相当する。ＣＰＵ１０１はさらに、ＬＣＤ表示器１１の上記表示１６「Ｂ」もしくは表示１７「Ａ」の表示を停止させ、データ送受を行う状態を解除する。一方、許可解除を示す信号光を受光した携帯電話機は、ＬＣＤ表示器１１の上記表示１７「Ａ」もしくは表示１６「Ｂ」の表示を停止させ、データ送受を行う状態を解除する。
【００２７】
一方、データ送受の許可解除を行いたい場合、携帯電話機１０Ａおよび１０Ｂは、赤外光送受信部１２、１３、１４にて通信を成立できる距離（上記の例では５ｍ以内）にあるとは限らない。その場合は、携帯電話機１０Ａと１０Ｂとの通信許可時に得た識別情報を用いて電話回線で通信を成立させ、解除を成立させてもよい。
【００２８】
画像データを受信した側の携帯電話機（上記の例では１０Ｂ）のＣＰＵ１０１は、許可状態を解除したとき、メモリ１０２の上記所定領域に格納されているデータを削除（消去）する。削除するデータは、データ送受を行う状態でデータ送信側の携帯電話機から送信され、データ受信側の携帯電話機で受信してメモリ１０２に格納したデータである。データを削除（消去）する代わりに、当該データを読み込み禁止、あるいは再生禁止にしてもよい。
【００２９】
携帯電話機１０Ａおよび１０Ｂ間でデータ送受が許可された状態で、使用者Ａもしくは使用者Ｂが移動して赤外光が届かない距離（上記の例では５ｍ以上）に離れた場合は、携帯電話機１０Ａおよび１０ＢのＣＰＵ１０１は、ＬＣＤ表示器１１の上記表示１６「Ｂ」、表示１７「Ａ」の表示をそれぞれ停止させる。このとき、携帯電話機のＣＰＵ１０１は、相手の識別情報などの情報をメモリ１０２に保持しておく。なお、画像データを受信した側の携帯電話機（上記の例では１０Ｂ）では、上記表示１７「Ａ」の表示が停止している状態でも、データ送受が許可された状態が解除されない限り、メモリ１０２内の画像データを閲覧できる。
【００３０】
携帯電話機１０Ａおよび携帯電話機１０Ｂが赤外光通信可能な距離にあるか否かは、以下のようにチェックする。通信要求を送信した携帯電話機１０ＢのＣＰＵ１０１は、携帯電話機１０Ａおよび１０Ｂ間でデータ送受を行う状態が成立した以降も所定時間（たとえば、１秒）ごとに通信回路１０４に指令を出力し、赤外光送受信部１２、１３、１４を介して通信要求を示す信号光と、携帯電話機１０Ｂの識別情報を示す信号光とを発光させる。一方、この信号光を受光した携帯電話機１０ＡのＣＰＵ１０１は、赤外光送受信部１２、１３、１４を介して通信許可を示す信号光と、携帯電話機１０Ａの識別情報を示す信号光とを発光させる。携帯電話機のＣＰＵ１０１は、データ送受する相手の携帯電話機からの信号光が上記所定時間（１秒）を超えて受信されなくなると、相手の携帯電話機が赤外光通信可能な距離にないと判断する。
【００３１】
携帯電話機１０Ａおよび１０ＢがＬＣＤ表示器１１の上記表示１６「Ｂ」、表示１７「Ａ」の表示を停止した状態では、通信要求を送信した携帯電話機１０ＢのＣＰＵ１０１は、所定時間（たとえば、１秒）ごとに通信回路１０４に指令を出力し、赤外光送受信部１２、１３、１４を介して通信要求を示す信号光と、携帯電話機１０Ｂの識別情報を示す信号光とを発光させる。一方、この信号光を受光する側の携帯電話機１０ＡのＣＰＵ１０１は、赤外光送受信部１２、１３、１４を介して通信許可を示す信号光と、携帯電話機１０Ａの識別情報を示す信号光とを通信要求に応じてただちに発光できるように待機しておく。携帯電話機のＣＰＵ１０１は、データ送受する相手の携帯電話機からの信号光が再び受信されると、データ送受を行う状態を復帰させる。このとき、携帯電話機のＬＣＤ表示器１１に上記表示１６「Ｂ」ならびに表示１７「Ａ」が再び表示される。
【００３２】
ＣＰＵ１０１は、データ送受を行う状態に復帰させるとき、音声入出力回路１０３に指令を出力し、不図示のスピーカから復帰を知らせる音声を再生させてもよい。
【００３３】
携帯電話機１０Ａおよび１０Ｂ間でデータ送受を行う状態で、使用者Ａもしくは使用者Ｂが移動して位置関係が変化した場合について説明する。図３は、使用者Ａおよび使用者Ｂが向かい合わせに座った状態の携帯電話機１０Ａおよび１０Ｂの位置関係を示す図である。このとき、携帯電話機１０Ａの赤外光送受信部１４と携帯電話機１０Ｂの赤外光送受信部１４とが正対する。この場合の携帯電話機１０Ａおよび１０Ｂの双方のＣＰＵ１０１は、識別情報を示す信号光がそれぞれ赤外光送受信部１４を介して受信されるので、各携帯電話機の正面に位置する携帯電話機との間でデータ送受を行うと判断する。双方のＣＰＵ１０１は、表示回路１０５に指令を出力し、ＬＣＤ表示器１１の表示領域の上方に、それぞれ携帯電話機１０Ｂを示す表示１６「Ｂ」、携帯電話機１０Ａを示す表示１７「Ａ」を表示させる。
【００３４】
以上説明した実施の形態についてまとめる。
（１）使用者Ｂが携帯電話機１０Ｂの通信要求スイッチを操作すると、携帯電話機１０ＢのＣＰＵ１０１は、赤外光送受信部１２、１３、１４を介して通信要求を示す信号光と、携帯電話機１０Ｂの識別情報を示す信号光とを発光させるようにした。使用者Ｂは、通信要求先の電話番号やメールアドレスを入力したり、番号リストやアドレスリストなどの読み出し操作を行うことなく、携帯電話機１０Ｂから通信要求を発することができる。
【００３５】
（２）携帯電話機１０Ａは、携帯電話機１０Ｂの赤外光送受信部（上記例では１３）と正対する赤外光送受信部１２で信号光を受光する。携帯電話機１０ＡのＣＰＵ１０１は、携帯電話機１０Ａの赤外光送受信部１２側（右側方）に位置する携帯電話機１０Ｂから通信要求されたと判断する。携帯電話機１０ＡのＣＰＵ１０１は、不図示のスピーカから通信要求を示す音を再生させる。これにより、使用者Ａに通信要求を受けたことが報知される。
【００３６】
（３）使用者Ａが使用者Ｂからの通信要求を受けるとき、使用者Ａが携帯電話機１０Ａの通信許可スイッチを操作すると、携帯電話機１０ＡのＣＰＵ１０１は、赤外光送受信部１２、１３、１４を介して通信許可を示す信号光と、携帯電話機１０Ａの識別情報を示す信号光とを発光させるようにした。使用者Ａは、通信要求元の電話番号やメールアドレスを入力したり、番号リストやアドレスリストなどの読み出し操作を行うことなく、携帯電話機１０Ａから通信許可を発することができる。
【００３７】
（４）携帯電話機１０ＡのＣＰＵ１０１はさらに、上記通信許可および識別情報を示す信号を発光させると、ＬＣＤ表示器１１の表示領域の右側方に携帯電話機１０Ｂを示す表示１６「Ｂ」を表示させるようにした。これにより、携帯電話機１０Ａおよび１０Ｂ間でデータ送受を行う状態が成立したことが使用者Ａに報知される上に、携帯電話機１０Ｂが右に位置することも報知される。
【００３８】
（５）携帯電話機１０Ｂは、携帯電話機１０Ａの赤外光送受信部（上記例では１２）と正対する赤外光送受信部１３で信号光を受光する。携帯電話機１０ＢのＣＰＵ１０１は、携帯電話機１０Ｂの赤外光送受信部１３側（左側方）に位置する携帯電話機１０Ａから通信許可されたと判断する。携帯電話機１０ＢのＣＰＵ１０１は、ＬＣＤ表示器１１の表示領域の左側方に携帯電話機１０Ａを示す表示１７「Ａ」を表示させるようにした。これにより、携帯電話機１０Ａおよび１０Ｂ間でデータ送受を行う状態が成立したことが使用者Ｂに報知される上に、携帯電話機１０Ａが左に位置することも報知される。
【００３９】
（６）使用者Ａが画像データを示すアイコンを選択する操作を行うと、携帯電話機１０ＡのＣＰＵ１０１は、選択されたアイコンに対応する画像データをメモリ１０２から読み出し、赤外光送受信部１２から携帯電話機１０Ｂへ送信させる。携帯電話機１０ＢのＣＰＵ１０１は、携帯電話機１０Ａから送信された画像データを赤外光送受信部１３で受信・復調し、復調後の画像データを携帯電話機１０Ｂのメモリ１０２の所定領域に格納させる。
【００４０】
（７）使用者Ｂが表示１７「Ａ」を選択する操作を行うと、携帯電話機１０ＢのＣＰＵ１０１は、メモリ１０２の所定領域から画像データを読み出し、読み出した画像データによる画像をＬＣＤ表示器１１に表示させる。これにより、使用者Ｂは、携帯電話機１０ＢのＬＣＤ表示器１１で、使用者Ａの携帯電話機１０Ａから送信された画像データによる画像を閲覧できる。
【００４１】
（８）携帯電話機１０ＢのＣＰＵ１０１は、携帯電話機１０Ａから許可されている状態でのみ、メモリ１０２の所定領域を読み出し可能とした。この結果、使用者Ｂが使用者Ａの意図に反して画像データを閲覧することが防止される。
【００４２】
（９）携帯電話機１０Ａもしくは１０Ｂにおいて、許可解除スイッチが操作されると、当該携帯電話機のＣＰＵ１０１は赤外光送受信部１２、１３、１４を介して許可解除を示す信号光と、当該携帯電話機の識別情報を示す信号光とを発光させるようにした。使用者Ａ（もしくは使用者Ｂ）は、通信相手の電話番号やメールアドレスを入力したり、番号リストやアドレスリストなどの読み出し操作を行うことなく、携帯電話機から許可解除を発することができる。
【００４３】
（１０）許可解除を発信した側の携帯電話機のＣＰＵ１０１、および許可解除を受信した側の携帯電話機のＣＰＵ１０１は、それぞれデータ送受を行う状態を解除する。このとき、受信済みの画像データをメモリ１０２の上記所定領域に格納している携帯電話機（上記の例では１０Ｂ）のＣＰＵ１０１は、メモリ１０２に格納されている当該データを削除するようにした。これにより、許可解除後に使用者Ｂが使用者Ａの意図に反して画像データを閲覧することが防止される。
【００４４】
データ送受が許可（通信許可）されている携帯電話機間では、いずれの携帯電話機側からデータを送信してもよい。
【００４５】
以上の説明では、２台の携帯電話機１０Ａおよび１０Ｂ間でデータ送受を行う例を説明した。携帯電話機は２台に限らず、さらに多くの携帯電話機間でデータ送受を行うようにしてもよい。図４は、３台の携帯電話機１０Ａ、１０Ｂおよび１０Ｃ間でデータ送受を行う例を示す図である。図４において、携帯電話機１０Ａは、携帯電話機１０Ｃおよび携帯電話機１０Ｂとの間でそれぞれデータ送受可能にされている。携帯電話機１０ＣのＬＣＤ表示器１１の表示領域の右側方に、携帯電話機１０Ａを示す表示１８「Ａ」が表示される。携帯電話機１０ＡのＬＣＤ表示器１１の表示領域の左側方に携帯電話機１０Ｃを示す表示１９「Ｃ」が、表示領域の右側方に携帯電話機１０Ｂを示す表示２０「Ｂ」が、それぞれ表示される。携帯電話機１０ＢのＬＣＤ表示器１１の表示領域の左側方に、携帯電話機１０Ａを示す表示２１「Ａ」が表示される。ＬＣＤ表示器１１の表示領域のうち、通信相手の方向に表示を行うので、データ送受の際に相手を間違えにくくなる。
【００４６】
上述した携帯電話機１０Ａ（１０Ｂ）は、３方向に指向性を有する赤外光送受信部１２、１３および１４を備えるようにしたが、２方向にのみ備えてもよいし、４方向に備えてもよい。
【００４７】
赤外光送受信部１２、１３および１４の代わりに、電波によって通信を行う送受信部を備えてもよい。
【００４８】
以上の説明では、通信要求を送信した携帯電話機１０Ｂに対し、使用者Ａの操作によって携帯電話機１０Ａが通信許可を送信する例を示した。この代わりに、あらかじめ通信を許可する携帯電話機の識別情報（電話番号など）を携帯電話機１０Ａに登録しておき、通信許可が登録されている携帯電話機（たとえば、１０Ｂ）からの通信要求を携帯電話機１０Ａが受信した場合に、携帯電話機１０Ａが自動的に応答して通信許可を携帯電話機１０Ｂに送信するようにしてもよい。
【００４９】
携帯電話機１０Ａ、１０Ｂは、単一指向性を有する赤外光送受信部１２、１３および１４のいずれで信号光を受信したかによって通信相手の方向を検出するようにした。この代わりに、ＧＰＳ衛星から送信される情報を用いて検出を行うようにしてもよい。この場合には、各携帯電話機にＧＰＳ装置を搭載させる。各携帯電話機は、ＧＰＳ装置がＧＰＳ衛星からの情報を受信して各携帯電話機の位置情報を生成する。各携帯電話機は、通信相手の携帯電話機から受信した位置情報と、自らが生成した位置情報とに基づいて、通信相手の方向を求めることができる。
【００５０】
特許請求の範囲における各構成要素と、発明の実施の形態における各構成要素との対応について説明する。通信手段は、たとえば、赤外光送受信部１２〜１４によって構成される。外部機器は、携帯電話機１０Ａに対して携帯電話機１０Ｂが、携帯電話機１０Ｂに対して携帯電話機１０Ａが、それぞれ対応する。外部機器検出手段、制御手段は、たとえば、ＣＰＵ１０１によって構成される。データ送受の許可は、たとえば、通信許可が対応する。データ送受の不許可は、たとえば、通信許可の解除が対応する。表示手段は、たとえば、表示回路１０５およびＬＣＤ表示器１１によって構成される。記憶手段は、たとえば、メモリ１０２によって構成される。第１の方向は、たとえば、左側方が対応する。第２の方向は、たとえば、右側方が対応する。なお、本発明の特徴的な機能を損なわない限り、各構成要素は上記構成に限定されるものではない。
【００５１】
【発明の効果】
本発明による携帯型通信端末では、データを送受する外部機器の指定操作を不要にすることができる。
【図面の簡単な説明】
【図１】本発明の一実施の形態による携帯型通信端末を構成する携帯電話機を説明する図である。
【図２】携帯電話機の概要を示すブロック図である。
【図３】使用者が向かい合わせに座った状態の携帯電話機の位置関係を示す図である。
【図４】３台の携帯電話機間でデータ送受を行う例を示す図である。
【符号の説明】
１０Ａ，１０Ｂ，１０Ｃ…携帯電話機、  １１…ＬＣＤ表示器、
１２〜１４…赤外光送受信部、        １５…操作部材、
１６〜２１…通信相手、方向を示す表示、
１０１…ＣＰＵ、                    １０２…メモリ、
１０３…音声入出力回路、            １０４…通信回路、
１０５…表示回路、                  １０６…アンテナ
【図１】
2004159227.tif 000003
【図２】
2004159227.tif 000004
【図３】
2004159227.tif 000005
【図４】
2004159227.tif 000006